(57)【要約】      （修正有）【課題】  投入した紙幣を識別したのちに引き抜くことができなくして不正行為を未然に防止した紙幣処理装置を提供する。【解決手段】  紙幣挿入口と紙幣排出口と前記紙幣挿入口と紙幣排出口を連通する搬入通路を備えた筐体と、上部収納部に配設された識別装置と引き抜き防止機構と、下部収納部に配設された搬送装置と、紙幣を収納ボックスに導入する紙幣導入通路１６と紙幣を一時係留する係止部材を有する収納ボックスと、該導入された紙幣を前記収納ボックスの係止部材下方に押し込み集積する紙幣収納スタック機構とを備えた紙幣処理装置であって、精算ボタンの操作と連動して収納ボックスの係止部材下方に押し込み集積された紙幣を釣銭として払い出す釣銭返却装置を設けたものである。【選択図】  図２
2006209717.tif 000002
【特許請求の範囲】
【請求項１】
前壁に設けられた紙幣挿入口と後壁に形成された紙幣排出口と前記紙幣挿入口と紙幣排出口を連通する搬入通路ならびに排出通路と該搬入通路ならびに排出通路により分割された上部収納部と下部収納部を備えた筐体と、
前記上部収納部に配設された識別装置と引き抜き防止機構と、下部収納部に前記搬入通路に臨んで配設された搬送装置と、前記搬送路により搬送された紙幣を収納ボックスに導入する紙幣導入通路と紙幣を一時保留する係止部材を有する収納ボックスと、該導入された紙幣を前記収納ボックスの係止部材下方に押し込み集積する紙幣収納スタック機構とを備えた紙幣処理装置であって、
前記紙幣処理装置は、精算ボタンの操作と連動して収納ボックスの係止部材下方に押し込み集積された紙幣を釣銭として払い出す釣銭返却装置を設けた、
ことを特徴とする紙幣処理装置。
【請求項２】
前記釣銭返却装置は、前記収納ボックス後壁の係止部材下方に形成した紙幣押出口と
前記収納ボックスの係止部材下方に臨んだ紙幣押出機構と、
前記識別装置より排出通路側の搬送路上に設けられた前記引き抜き防止機構を搬送路上に出没可能にした遮断機構と、
前記搬送路と排出通路と紙幣導入通路の連結部近傍に配設された切り替え機構とを備えた、
ことを特徴とする請求項１記載の紙幣処理装置。
【請求項３】
前記投入紙幣が小額紙幣と識別された時点で前記切り替え機構を可動して排出通路を閉鎖する一方、紙幣導入通路を開通させ、前記紙幣を収納スタックへ導入収納するとともに、
前記紙幣収納ボックスへの収納枚数が所定の枚数に達した時点で排出通路を開通状態に維持し、前記投入紙幣を排出口から排出した
ことを特徴とする請求項１記載および請求項２記載の紙幣処理装置。
【請求項４】
遊技媒体貸機に設けられた精算ボタンの操作により遮断機構を可動して、前記引き抜き防止機構を前記搬送路上から格納した後に前記釣銭返却装置を可動させるとともに、
前記搬送装置を逆転し、紙幣を収納スタックから紙幣挿入口へ搬送した
ことを特徴とする請求項１記載乃至請求項３のいずれか記載の紙幣処理装置。
【発明の詳細な説明】
【技術分野】
【０００１】  本発明は、自動販売機、両替機、パチンコ玉貸機、メタル貸機などに使用される紙幣処理装置、特に、高額紙幣の投入に対して、釣銭を返却することができる紙幣処理装置に関する。
【背景技術】
【０００２】  一般に紙幣を取り扱う自動販売機、両替機、パチンコ玉貸機、メタル貸機などの機器本体内あるいはそれらの機器に関連付けされ、投入された紙幣金種を識別して、少なくとも高額紙幣（現在では、２０００円以上の紙幣を対象としている。）と小額紙幣（以下、千円紙幣と言う）とを分別収容した後に、収納されている小額紙幣を高額紙幣の釣銭として払い出す紙幣処理装置が知られている。例えば、特公平７−１１０３００「遊技用玉貸機の高額紙幣両替装置」で開示されている装置は、千円紙幣の収納エリアを有する紙幣用計数整列機に連通するメイン通路内に設けられた搬送ベルトの片面側に紙幣投入口から千円紙幣を投入すると、搬送ベルトの移動に順じて、真贋チェックを行なうとともに真券の場合は千円分の玉貸しができるように構成している。そして、所定枚数の千円紙幣を貯溜できる釣銭保管部を前記メイン通路内に切換ガイドを介して連通できるようにメイン通路の反対側となる前記搬送ベルトの背面側に設けている。この釣銭保管部には、前記紙幣投入口より投入される千円紙幣が所定枚数になるまでメイン通路より給送可能に設定してある。また、前記紙幣用計数整列機には５千円または１万円の高額紙幣の収納エリアを設け、その高額紙幣を前記紙幣投入口から前記メイン通路内に投入すると、真贋チェックが行なわれて真券の場合にはメイン通路内より前記紙幣計数整列機側へ搬送しながら千円分の玉貸しを行うとともに、前記釣銭保管部より釣銭相当数の千円紙幣を前記搬送ベルトにより搬出して払い出しができるようにしている。【０００３】  一方、識別装置を備えた紙幣処理装置にあっては、投入された紙幣が識別装置を通過した後に引き抜き、再度投入し、投入金額をごまかすなどの不正を未然に防止するために、引き抜き防止用のシャッターが搬送路の途中に設けられているのが一般的である。例えば、実開平３−１１３４７５の第２図中符号９ａ、９ｂ、９ｃを参照。（特許文献２）【０００４】  しかしながら、上記した従来の技術は、高額紙幣が投入されると、その紙幣の真贋を識別したのちに、千円分の玉貸しを行うと同時に釣銭を払い出していた。このため、続けて遊技を実施する場合には、再度紙幣を投入する必要があり、遊技者にとっては煩わしく、しかも、釣銭を払い出す必要上メイン通路に投入紙幣の引き抜き防止のための機構を設けることができなくなり、一度投入した紙幣を識別したのちに引き抜くことが可能となり、投入金額をごまかしたり、釣銭を不法に受け取ったりするなどの不正行為が行なわれる恐れがあるなどの問題点があった。【０００５】  この出願の発明に関連する先行技術文献としては次のものがある。
【特許文献１】特公平７−１１０３００「遊技用玉貸機の高額紙幣両替装置」
【特許文献２】実開平３−１１３４７５「紙幣識別機・・第２図中符号９ａ、９ｂ、９ｃ」
【非特許文献】  なし
【発明の開示】
【発明が解決しようとする課題】
【０００６】  本発明は、上記の従来の技術が有する問題を解決するためになされたものであり、その目的は、遊技媒体貸機の貸出ボタンを操作することによって、投入された高額紙幣の金額の範囲で連続して遊技を続行することができ、しかも遊技終了時に精算ボタンを操作すれば投入紙幣の金額と遊技に使用した遊技媒体（例えば、コイン）の使用金額が比較され釣銭が払い出される。この釣銭の払い出しを行なうために装置を逆転稼動した場合に投入紙幣の投入時に引き抜き防止機能を果たしていた可動シャッターの引き抜き防止機能を解除して釣銭の払い出しをスムースに行い、しかも一度投入した紙幣を識別したのちに引き抜くことができなくしたことによって、投入金額がごまかされたり、釣銭を不法に搾取されたりするなどの不正行為を未然に防止することができる紙幣処理装置を提供するものである。
【課題を解決するための手段】
【０００７】  上記課題を解決するため、本発明においては、前壁に設けられた紙幣挿入口と後壁に形成された紙幣排出口と前記紙幣挿入口と紙幣排出口を連通する搬入通路ならびに排出通路と該搬入通路ならびに排出通路により分割された上部収納部と下部収納部を備えた筐体と、
前記上部収納部に配設された識別装置と引き抜き防止機構と、下部収納部に前記搬入通路に臨んで配設された搬送装置と、前記搬送路により搬送された紙幣を収納ボックスに導入する紙幣導入通路１６と紙幣を一時係留する係止部材を有する収納ボックスと、該導入された紙幣を前記収納ボックスの係止部材下方に押し込み集積する紙幣収納スタック機構とを備えた紙幣処理装置であって、前記紙幣処理装置は、精算ボタンの操作と連動して収納ボックスの係止部材下方に押し込み集積された紙幣を釣銭として払い出す釣銭返却装置を設けたものである。【０００８】  上記のように構成することにより、精算ボタンが操作されるまでは、投入された高額紙幣の金額の範囲で連続して遊技を続行することが可能で、しかも精算ボタンを操作して釣銭を払い出す時には、一旦完全に紙幣収納ボックス内に整然と集積された紙幣を直接釣銭として使用するため、紙幣の保管時に不正行為が行なわれる恐れが極めて少なく釣銭が確実に払い出される。しかも、紙幣収納ボックス内に整然と集積された紙幣を返却機構で使用するため、折り返しの痕跡や重ねた状態で払いだされる恐れが少ない。【０００９】  次の発明は、前記釣銭返却装置は、前記収納ボックス後壁の係止部材下方に形成した紙幣押出口と、前記収納ボックスの係止部材下方に臨んだ紙幣押出機構と、前記識別装置より排出通路側の搬送路上に設けられた前記引き抜き防止機構を搬送路上に出没可能にした遮断機構と、前記搬送路と排出通路と紙幣導入通路１６の連結部近傍に配設された切り替え機構とを備えたものである。【００１０】  上記のように構成することにより、貸出ボタンの操作で投入された高額紙幣の金額の範囲で連続して遊技を続行することができ、しかも遊技終了時に精算ボタンを操作すれば投入紙幣の金額と遊技に使用したコインの使用金額が比較され釣銭が払い出される。そして、投入紙幣の投入時に引き抜き防止機能を果たしていた引き抜き防止機構は遮断機構の機能により、搬送通路上から格納されるため、釣銭返却装置を逆転稼動して釣銭の払い出しを行なう際には、投入紙幣がスムースに払い戻しされる。【００１１】  次の発明は、前記投入紙幣が小額紙幣と識別された時点で前記切り替え機構を可動して排出通路を閉鎖する一方、紙幣導入通路１６を開通させ、前記紙幣を収納スタックへ導入収納するとともに、前記紙幣収納ボックスへの収納枚数が所定の枚数に達した時点で排出通路を開通状態に維持し、前記投入紙幣を排出口から排出したものである。【００１２】  上記のように構成することにより、紙幣収納スタックには、一定量の紙幣が収納され、それ以上の紙幣は高額紙幣同様に金庫に分別収容されるため、紙幣収納スタックがオーバーフローして装置に障害を与える恐れは少ない。【００１３】  遊技媒体貸機に設けられた精算ボタンの操作により遮断機構を可動して、前記引き抜き防止機構を前記搬送路上から格納した後に前記釣銭返却装置を可動させるとともに、前記搬送装置を逆転し、紙幣を収納スタックから紙幣挿入口へ搬送した【００１４】  上記のように構成することにより、遊技者の精算ボタン操作に応じて、簡単に釣銭を払い戻すことができる。
【発明の効果】
【００１５】  以上のように、本発明によれば、遊技媒体貸機の貸出ボタンを操作することによって、投入された高額紙幣の金額の範囲で連続して遊技を続行することができ、しかも遊技終了時に精算ボタンを操作すれば投入紙幣の金額と遊技に使用した遊技媒体（例えば、コイン）の使用金額が比較され釣銭が払い出される。そして、釣銭の払い出しを行なう際に装置を逆転稼動したときには、投入紙幣の投入時に引き抜き防止機能を果たしていた可動シャッターの投入紙幣の引き抜き防止機能を解除することによって、釣銭の払い出しをスムースに行なうことができ、しかも一度投入した紙幣を識別したのちに引き抜くことができないため、投入金額がごまかされたり、釣銭を不法に搾取されたりされるなどの不正行為を未然に防止することができる
【発明を実施するための最良の形態】
【００１６】  以下、本発明を実施するための最良の形態を、図面に基づいて説明する。図１は、本発明の紙幣処理装置の遊技機島取り付け状態を示した概略説明図、図２は、本発明の要部を示した長手断面相当図、図３は、遮断機構部分の拡大図、図４は、切り替え機構部分の拡大図、図５は、遮断機構を示した斜視図、図６は、遊技媒体貸機を示した正面図、図７は、紙幣投入プロセスを示したフローチャート、図８は、釣銭の払出プロセスを示したフローチャートである。【００１７】  本発明の紙幣処理装置１００は、図１に示すように、遊技機８８（本実施例では、スロットマシン）と遊技媒体貸機７０（メダル貸機）とを交互に多数並設して構築されている遊技機島の上方に架設されている紙幣搬送装置８９に取付けられている。即ち、各紙幣処理装置１００は、紙幣搬送装置８９の各遊技媒体貸機８０に対応した位置に取付けられている。従って、遊技媒体貸機８０とは、上方に離間している。遊技者が投入する紙幣Ｍは、紙幣処理装置１００の前面（遊技媒体貸機８０側）に形成された紙幣挿入口１１から投入され、紙幣排出口１２（紙幣搬送装置８９側）から排出され紙幣搬送装置８９に送り込まれる。この送り込まれた紙幣Ｍは、紙幣搬送装置８９の端部に設置された回収金庫９０に金種別に分別収納される。【００１８】  この紙幣処理装置１００は、全体として長矩形の箱状に形成された筐体１０と、この筐体１０の内部に配設される搬送装置２０と、搬送装置２０によって搬送された紙幣Ｍを識別する識別装置３０と、搬送された紙幣Ｍを収納する紙幣収納スタック装置４０と、釣銭返却装置５０を備えている。前述の筐体１０の前壁（紙幣搬送装置８９に取付けた状態で遊技媒体貸機８０側）と後壁（前壁と反対側）には、紙幣挿入口１１と紙幣排出口１２が各々形成されている。そして、この筐体１０の内部は、紙幣挿入口１１と連通する搬入通路１３と紙幣排出口１２と連通する排出通路１４と紙幣排出口１２と排出通路１４とを繋ぐ搬送通路１５が形成されていて、この搬入通路１３と排出通路１４と搬送通路１５によって上部収納部Ａと下部収納部Ｂに分割されている。また、排出通路１４と搬送通路１５を繋ぐ連通部分には、後述する紙幣収納スタック装置４０へ紙幣Ｍを搬入するための紙幣導入通路１６が形成されている。尚、この紙幣導入通路１６には、後述する釣銭の釣銭返却装置５０によって紙幣収納ボックス４１の紙幣押出口４１ａから押し出された紙幣Ｍを紙幣導入通路１６に導くための連絡通路１６ａが形成されている。【００１９】  筐体１０の内部に画成された上部収納部Ａには、主に識別装置３０と遮断機構である可動シャッター６０とが配設され、下部収納部Ｂには、主に搬送装置２０と紙幣収納スタック装置４０と釣銭返却装置５０ならびに切り替え機構である切り替えシャッター７０とが配設されている。【００２０】  搬送装置２０は、搬送通路１５の両側に配設された一対の搬送ベルト２３によって投入された紙幣Ｍを搬送する。この搬送ベルト２３は、同軸上に固定され排出通路１４側に位置する大径の駆動ギア２１と、搬入通路１３側に位置する小径の従動ギア２２に巻架されている。また、搬送通路１５の下側の中間近傍には、駆動ギア２１を回転させる��動モータ２４と、駆動モータ２４の動力を駆動ギア２１に伝達する伝達ギア群（詳述しない）が配設されている。そして、この搬送ベルト２３は、搬送通路１５の両側から若干露出するようにして下部収納部Ｂの内部に配設されている。尚、この搬送装置２０は、駆動モータ２４の正転、逆転の切り替えによって、紙幣Ｍの搬送方向を切り替えることができる。【００２１】  識別装置３０は、紙幣挿入口１１と連通する搬入通路１３との連通部中央近傍に配設された紙幣投入確認用の反射赤外線センサ３１と、搬送通路１５の入口両側近傍の上部収納部Ａ側に配設された発光部と下部収納部Ｂに配設された受光部からなる透過型赤外線センサ３２と、透過型赤外線センサ３２と紙幣排出口１２側に各々隣設された磁気センサ３３とを備えている。【００２２】  紙幣収納スタック装置４０は、筐体１０に設けられた搬送通路１５の底壁１５ｂの下側に取付けられた状態で下部収納部Ｂ内部に配設されている。そして、搬送通路１５両側に設けられた搬送ベルト２３によって搬送された紙幣Ｍを紙幣収納ボックス４１に押し込めるための押圧機構４２と、この押圧機構４２の下方に配置された紙幣収納ボックス４１とを有する。そして、この押圧機構４２には、一般的に用いられているところの、上下動する押圧板４３と、ヒンジ構造を有し押圧板４３の平行を維持したまま垂直方向へ上下動させるパンタグラフ構造のリンク装置４４が配設されている。【００２３】  また、紙幣収納ボックス４１の内部には、その上面に紙幣Ｍを積載するスタッカープレート４５と、このスタッカープレート４５を下面から常時押圧するコイルスプリング４６とが配設されている。更に、紙幣収納ボックス４１の両側壁には、断面がコの字形状に形成された係止部材４１ｂが形成されており、取り込まれた紙幣Ｍは、この係止部材４１ｂの上面に一時保留された後に押圧板４３によって係止部材４１ｂの間から紙幣収納ボックス４１の内部のスタッカープレート４５上に載置され内部に押し込まれる。この押し込まれた紙幣Ｍは、コイルスプリング４６によって上方の押し上げられるが、スタッカープレート４５が係止部材４１ｂの下面に当接することによって紙幣収納スタック装置４０の押圧機構４２側に飛び出すようなことはない。従って、押し込まれた紙幣Ｍは係止部材４１ｂとスタッカープレート４５との間に順次押し込まれ積層収容された状態で押圧挟持される。更に、この紙幣収納ボックス４１の後壁（紙幣排出口１２側）には、前述の係止部材４１ｂの下面に相当する位置に返却用の紙幣押出口４１ａが形成されている。【００２４】  釣銭返却装置５０は、一対の押圧ローラ５１と、押圧ローラ５１を回転させる駆動モータ５２と、搬送装置２０に設けられた駆動ギア２１と同軸上に固定されたギア５３と、押圧ローラ５１の回転軸と同軸に固定された伝達ギア５１ａとギア５３の接続をＯＮ・ＯＦＦするアイドルギア５４と、アイドルギア５４を作動させるソレノイド（図示しない）とを備えている。この一対のローラ５１は、紙幣収納ボックス４１の側壁に形成されている係止部材４１ｂより僅かに下方に突出した状態で紙幣収納ボックス４１の側壁に回転可能に軸止されている。そして、一方向クラッチ（図示しない）などで釣銭返却装置５０の駆動時のみ回転し、通常は、フリーとなっている。従って、紙幣Ｍが収納ボックス４１に挿入されるときはその障害にならない。【００２５】    遮断機構である可動シャッター６０は、ソレノイド６１と、回動軸６２と、この回動軸６２に一体に形成された係止プレート６３と、係止部６３ｂを付勢するスプリング６４と、該ソレノイド６１と係止プレート６３を連結する連結桿６５とにより構成されている。【００２６】  詳しくは、この可動シャッター６０は、搬送通路１５を形成する天井壁１５ａの上部収納部Ａ側に配設されていて、天井壁１５ａに形成された昇降口１５ｃから係止プレート６３が搬送通路１５内に昇降するように配設されている。尚、この昇降口１５ｃは、識別装置３０の磁気センサ３３の直後に形成され矩形を成している。そして、この昇降口１５ｃは、搬送通路１５の幅方向の両側に各々一対、即ち４個形成されている。【００２７】  可動シャッター６０は、前述の昇降口１５ｃを横断するようにして、筐体１０に形成された軸受（図示しない）に軸止された回動軸６２と、この回動軸６２に一体に形成され、各々昇降口１５ｃから搬送通路１５内に昇降する一対の係止プレート６３とを備えている。この係止プレート６３の一つには、係止プレート６３を搬送通路１５の前方（紙幣Ｍの搬送方向）に付勢するスプリング６４が天井壁１５ａとの間に張設されている。一方、他の係止プレート６３には、係止プレート６３を搬送通路１５の後方（紙幣Ｍの紙幣挿入口１１方向）に引き付けるソレノイド６１が連結桿６５を介して連結されている。【００２８】  前述の係止プレート６３は、回動軸６２に一体成型され、回動軸６２とともに回動する駒形状を成していて、上端に前述のスプリング６４と、ソレノイド６１の連結桿６５を相対向した方向に連結する連結部６３ａが形成されている。そして、前端面の（紙幣Ｍの搬送方向）下部には、前方（紙幣Ｍの搬送方向）に突出した係止部６３ｂが形成されている。一方、後端面（紙幣Ｍの紙幣挿入口１１方向）には、昇降口１５ｃの端面に当接する当接面６３ｃが形成され、下端面には、当接面６３ｃから前方方向に下り傾斜したガイド面６３ｄが形成されている。【００２９】  従って、常時（紙幣処理装置１００が稼動していない状態）においては、係止プレート６３は、上端がスプリング６４によって前方に付勢されているため、当接面６３ｃが昇降口１５ｃの後端に圧接されている。次に、紙幣Ｍが紙幣挿入口１１から投入され、係止プレート６３に至った時に、紙幣Ｍの先端がガイド面６３ｄを押しながら前方へ搬送される。この時、係止プレート６３は、回動軸６２を中心としてスプリング６４の付勢に抗して回動し、紙幣Ｍを通過させ、通過後常態に復帰する。そして、一旦通過した紙幣Ｍは、搬送装置２０によって搬送通路１５内を搬送されて、紙幣収納スタック装置４０に送り込まれる。仮に一旦通過した紙幣Ｍを引き戻そうとした場合には、紙幣Ｍの後端が係止プレート６３の係止部６３ｂに当接して係止される。即ち、係止プレート６３は、当接面６３ｃが昇降口１５ｃの端面に当接することによって回動が規制されていて、結果として、紙幣Ｍの引き戻しを規制している。【００３０】  切り替え機構で���る切り替えシャッター７０は、排出通路１４と搬送通路１５の接続部分近傍に配設されていて：搬送通路１５内を搬送されてきた紙幣Ｍを排出通路１４と紙幣導入通路１６に振り分ける機能を有している。【００３１】  この切り替えシャッター７０は、ソレノイド７１と、フラッター７２と、連結桿７３とより構成されている。そして、フラッター７２は、排出通路１４と搬送通路１５の接続部分近傍に回動可能に軸止され、常時は、トーションスプリング（図示しない）などで紙幣導入通路１６を遮断している。即ち、搬送通路１５内を搬送されてきた紙幣Ｍは排出通路１４を通過して紙幣搬送装置８９に送り込まれるように付勢されている。【００３２】  遊技媒体貸機８０は、図６に示すように、公知の遊技媒体貸機の機能に加え、高額紙幣対応として、貸出ボタン８１と、精算ボタン８２ならびに貸出枚数、売上、異常表示などを随時表示する共通表示部８３と、残額表示部８４とが設けられている。尚、８５は、メダルの払出ノズルである。【００３３】  次に、紙幣Ｍの搬送経過を図７のフローチャートに基づいて説明する。
紙幣Ｍが投入されると、（Ｓ１）
１）識別装置３０の反射赤外線センサ３１でその投入が確認され、その信号を駆動機構２０の制御部（図示しない）に送信する。この時、紙幣Ｍが贋作と判断された場合には搬送装置２０には駆動信号は送信されない。従って搬送装置２０は駆動しない。（Ｓ２）
２）反射赤外線センサ３１の投入確認の信号を受けて、搬送装置２０が駆動して搬送ベルト２３を正方向（紙幣排出口１２方向）に回転させる。この回転により搬送ベルト２３上に紙幣Ｍを取り込み搬送する。（Ｓ３）
３）搬送ベルト２３上に取り込まれた紙幣Ｍは、まず透過型赤外線センサ３２によって  透過光量で紙幣Ｍの真贋と金種を識別する。ここで贋作と判断された場合には、その信号を駆動機構の制御部（図示しない）に送信し、搬送ベルト２３を逆転させ、偽紙幣を返却する。尚、金種の識別が不確定の場合には、紙幣Ｍはそのまま正方向に搬送される。（Ｓ４、Ｓ５、Ｓ６）
４）次に、紙幣Ｍは、磁気センサ３３によって紙幣Ｍの印刷に用いたインクなどに含まれている磁気を検出して紙幣Ｍの真贋と金種を識別する。ここで贋作と判断された場合には、その信号を駆動機構の制御部（図示しない）に送信し、搬送ベルト２３を逆転させ、偽紙幣を返却する。（Ｓ１９）尚、金種の識別が不確定の場合には、紙幣Ｍはそのまま正方向に搬送される。（Ｓ７、Ｓ８、Ｓ９）
５）搬送された紙幣Ｍは、遮断機構である可動シャッター６０に至る、そして、係止プレート６３のガイド面６３ｄに衝突して係止プレート６３を回動軸６２を中心として回転させながら可動シャッター６０の下側を通過する。紙幣Ｍが通過し終わると係止プレート６３はスプリング６４の復元力で元の位置に復帰する。（Ｓ１０）
６）ここで、紙幣Ｍが可動シャッター６０を通過したことを切り替えシャッター７０の制御部（図示しない）に信号を送る。
７）前述の贋作でない紙幣Ｍの金種に関する信号と可動シャッター６０の通過信号により、切り替えシャッター７０が切り替えられる。
ａ：金種が高額紙幣の場合には、切り替えシャッター７０は作動せず、紙幣Ｍはそのまま搬送装置２０により排出通路１４から紙幣排出口１２に搬送され、紙幣搬送装置８９を経由して端末の金庫８９ａ（図１参照）に分別収納される。（Ｓ１１）
ｂ：次に、金種が小額紙幣の場合には、切り替えシャッター７０のソレノイド７１を作動して、フラッター７２を切り替える。即ち、紙幣導入通路１６を開放して排出通路１４を閉鎖する（図１、図４中２点鎖線で示す）。このため、搬送装置２０によって搬送されてきた紙幣Ｍは、紙幣導入通路１６から紙幣収納スタック装置４０に送り込まれ、押圧機構４２によって紙幣収納ボックス４１に所定枚数積層収納される（Ｓ１４、Ｓ１５、Ｓ１６、Ｓ１７）。
ｃ：そして、小額紙幣が紙幣収納ボックス４１に所定枚数積層されると、そのデータが任意の方法（カウンター、位置センサなど）で確認されると、その信号が切り替えシャッター７０の制御部に送信され、ソレノイド７１を作動さして、フラッター７２を切り替える。即ち、紙幣導入通路１６を閉鎖して排出通路１４を開放する。このことにより、紙幣収納ボックス４１には、所定枚数以上に小額紙幣は収納されない。前述の小額紙幣はそのまま搬送装置２０により排出通路１４から紙幣排出口１２に搬送され、紙幣搬送装置８９を経由して端末の金庫８９ａに分別収納される。（Ｓ１８）【００３４】  次に、遊技者が高額紙幣を使用して遊技媒体を貸出する場合について説明する。
遊技者が高額紙幣を紙幣処理装置１００の投入すると、前述したように搬送装置２０によって搬送され、可動シャッター６０を通過した時点でその信号が遊技媒体貸機８０の制御部（図示しない）に送られ、最小単位（小額紙幣で払い出せる枚数）のメダルを払出ノズルから遊技機８８側に払い出す。そして、その結果である払出枚数を共通表示部８３に表示するとともに残金を残額表示部８４に表示する。そして、メダルを新規に払い出すときは、貸出ボタン８１を押して最小単位のメダルを払い出す。【００３５】  次に、図８に基づいて、釣銭の要求が生じた場合について説明する。本発明では、遊技者が釣銭を払い出す要求を行なったときに、初めて釣銭の払い出し機能が作用する。まず、遊技者が遊技を終了し、または他の理由で釣銭を払い戻す場合には、
ａ：遊技者が、遊技媒体貸機８０の精算ボタン８２を押すと、釣銭の額の計算と紙幣Ｍの有無を確認して、適格と判断された場合に、その信号が搬送装置２０の制御部（図示しない）に送信される。（ＳＳ１、ＳＳ２、ＳＳ３）
ｂ：同時に精算ボタン８２からの信号は、可動シャッター６０と切り替えシャッター７０の制御部（図示しない）にも送信される。
ｃ：この信号を受けて、搬送装置２０、可動シャッター６０、切り替えシャッター７０が作動し、搬送ベルト２３を逆回転させるとともに、可動シャッター６０の係止プレート６３を上昇（図１、図３中２点鎖線で示す）させ、搬送ベルト２３上から退避させる。一方、切り替えシャッター７０のフラッター７２も紙幣導入通路１６の閉鎖を解除して排出通路１４を閉鎖する位置に切り替えられる。（ＳＳ４、ＳＳ５、ＳＳ６）
ｄ：そして、釣銭返却装置５０により紙幣収納ボックス４１から送り出された紙幣Ｍの枚数を確認した後に紙幣挿入口１１から排出し、遊技者に払い戻す。（ＳＳ８、ＳＳ９、ＳＳ１０）
ｅ：完了した時点で搬送装置２０を停止する。（ＳＳ１１）【００３６】  この時における釣銭返却装置５０の作動は、遊技媒体貸機８０の精算ボタン８２が押されると駆動モータ５２が稼働して伝達ギア５１ａを介して一対の押圧ローラ５１を反時計回りに回転させる。押圧ローラ５１の回転により紙幣収納ボックス４１内で押圧ローラ５１に接触している紙幣（一番上の紙幣）を紙幣押出口４１ａ方向に移動させる。同時にソレノイド（図示しない）を作動させてアイドルギア５４をＯＦＦ状態からＯＮ状態に切り替える。このアイドルギア５４の切り替えによって、ギア５３を介して搬送装置２０の駆動ギア２１が逆転する。これらの一連の動作によって、紙幣押出口４１ａから連絡通路１６ａに押し出された紙幣Ｍは、搬送装置２０の搬送ベルト２３によって紙幣挿入口１１方向に搬送されるが、精算ボタン８２が押された時点で切り替えシャッター７０と可動シャッター６０が切り替えられ、排出通路１４が塞がれ、搬送通路１５が開かれているので紙幣Ｍはスムースに紙幣挿入口１１に返却され、遊技者が釣銭として受け取ることができる。尚、紙幣導入通路１６と連絡通路１６ａには、紙幣Ｍのカウンター用のセンサＳなどが設けられているので釣銭を間違える様なことはない。
【図面の簡単な説明】
【００３７】
【図１】本発明の紙幣処理装置の遊技機島取り付け状態を示した概略説明図である。本発明の紙幣処理装置の内部構造を示した側面図である。
【図２】本発明の要部を示した長手断面相当図である。
【図３】遮断機構部分の拡大図である。
【図４】切り替え機構部分の拡大図である。
【図５】遮断機構を示した斜視図である。
【図６】遊技媒体貸機を示した正面図である。
【図７】紙幣投入プロセスを示したフローチャートである。
【図８】釣銭の払出プロセスを示したフローチャートである。
【符号の説明】
【００３８】１００  紙幣処理装置
１０  筐体
１１  紙幣挿入口
１２  紙幣排出口
１３  搬入通路
１４  排出通路
１５  搬送通路
１５ａ  天井壁
１５ｂ  底壁
１５ｃ  昇降口
１６  紙幣導入通路
１６ａ  連絡通路
２０  搬送装置
２１  駆動ギア
２２  従動ギア
２３  搬送ベルト
２４  駆動モータ
３０  識別装置
３１  反射赤外線センサ
３２  透過型赤外線センサ
３３  磁気センサ
４０  紙幣収納スタック機構
４１  紙幣収納ボックス
４１ａ  紙幣押出口
４１ｂ  係止部材
４２  押圧機構
４３  押圧板
４４  リンク装置
４５  スタッカープレート
４６  コイルスプリング
５０  釣銭返却装置
５１  押圧ローラ
５１ａ  伝達ギア
５２  駆動モータ
５３  ギア
５４  アイドルギア
６０  （遮断機構）可動シャッター
６１  ソレノイド
６２  回動軸
６３  係止プレート
６３ａ  連結部
６３ｂ  係止部
６３ｃ  当接面
６３ｄ  ガイド面
６４  スプリング
６５  連結桿
７０  （切り替え機構）切り替えシャッター
７１  ソレノイド
７２  フラッター
７３  連結桿
８０  遊技媒体貸機
８１  貸出ボタン
８２  精算ボタン
８３  共通表示部
８４  残額表示部
８５  払出ノズル
８８  遊技機
８９  紙幣搬送装置
８９ａ  回収金庫
Ｓ  カウンター用のセンサ
Ａ  （筐体）上部収納部
Ｂ  （筐体）下部収納室
Ｍ  紙幣
【図１】
2006209717.tif 000003
【図２】
2006209717.tif 000004
【図３】
2006209717.tif 000005
【図４】
2006209717.tif 000006
【図５】
2006209717.tif 000007
【図６】
2006209717.tif 000008
【図７】
2006209717.tif 000009
【図８】
2006209717.tif 000010